(57)【要約】【課題】ジャイロセンサーを有するカメラボディーに従来のＩＳ交換レンズを装着し、カメラボディーと交換レンズの両方にＩＳ機能のオン／オフ切替えスイッチがある場合のスイッチの操作性の向上が目的。【解決手段】像ブレ検出手段と像ブレ防止機能のオン／オフ切替えスイッチとを有するカメラ本体に、像ブレ検出手段と像ブレ補正光学系と像ブレ防止機能のオン／オフ切替えスイッチとを有する交換レンズを装着した場合は、少くともカメラ本体又は交換レンズのいずれか一方の像ブレ防止機能のオン／オフ切替えスイッチがオンした時に像ブレ防止機能が動作する様に構成する。【選択図】        図１
2004309834.tif 000002
【特許請求の範囲】
【請求項１】
像ブレ検出手段と像ブレ防止機能のオン／オフ切替えスイッチを有するカメラ本体に、像ブレ検出手段と像ブレ補正光学系と像ブレ防止機能のオン／オフ切替えスイッチを有する交換レンズを装着した像ブレ防止機能を有するカメラシステムにおいて、前記カメラ本体内の像ブレ防止機能のオン／オフ切替えスイッチと前記交換レンズ内の像ブレ防止機能のオン／オフ切替えスイッチの両方がオンした時のみ像ブレ防止機能を動作させることを特徴とするカメラシステム。
【請求項２】
前記像ブレ防止機能の動作は、前記カメラ本体側の像ブレ検出手段の検出出力に基づき制御されることを特徴とする請求項１に記載の像ブレ防止機能を有するカメラシステム。
【請求項３】
前記像ブレ防止機能の動作は、前記交換レンズ側の像ブレ検出手段の検出出力に基づき制御されることを特徴とする請求項１に記載の像ブレ防止機能を有するカメラシステム。
【請求項４】
像ブレ検出手段と像ブレ防止機能のオン／オフ切替えスイッチとシャッター釦の第１ストロークでオンするＳＷ１スイッチとを有するカメラ本体に、像ブレ検出手段と像ブレ補正光学系と像ブレ防止機能のオン／オフ切替えスイッチを有する交換レンズを装着した像ブレ防止機能を有するカメラシステムにおいて、前記ＳＷ１スイッチがオンされかつ前記カメラ本体内の像ブレ防止機能のオン／オフ切替えスイッチと前記交換レンズ内の像ブレ防止機能のオン／オフ切替えスイッチの両方がオンした時のみ像ブレ防止機能を動作させることを特徴とするカメラシステム。
【請求項５】
像ブレ検出手段と像ブレ防止機能のオン／オフ切替えスイッチを有するカメラ本体に、像ブレ検出手段と像ブレ補正光学系と像ブレ防止機能のオン／オフ切替えスイッチを有する交換レンズを装着した像ブレ防止機能を有するカメラシステムにおいて、少なくとも交換レンズ側の像ブレ防止機能のオン／オフ切替えスイッチがオンしていれば像ブレ補正機能の動作が行われることを特徴とするカメラシステム。
【請求項６】
像ブレ検出手段と像ブレ防止機能のオン／オフ切替えスイッチを有するカメラ本体に、像ブレ検出手段と像ブレ補正光学系と像ブレ防止機能のオン／オフ切替えスイッチを有する交換レンズを装着した像ブレ防止機能を有するカメラシステムにおいて、少なくともカメラ本体側の像ブレ防止機能のオン／オフ切替えスイッチがオンしていれば像ブレ補正機能の動作が行われることを特徴とするカメラシステム。
【請求項７】
前記像ブレ防止機能の動作は、前記カメラ本体側の像ブレ検出手段の検出出力に基づき制御されることを特徴とする請求項５又は６に記載の像ブレ防止機能を有するカメラシステム。
【請求項８】
前記像ブレ防止機能の動作は、前記交換レンズ側の像ブレ検出手段の検出出力に基づき制御されることを特徴とする請求項５又は６に記載の像ブレ防止機能を有するカメラシステム。
【発明の詳細な説明】
【０００１】
【発明の属する技術分野】
本発明はカメラ本体に交換レンズを装着して使用する一眼レンズカメラでおいて像ブレ補正装置を有するもので、特にこの像ブレ防止装置のブレ検出用のセンサーがカメラ本体側にあり、更にこの像ブレ防止装置の補正光学系が交換レンズ側にあるものに関する。
【０００２】
【従来の技術】
従来から着脱可能な交換レンズを装着して使用する一眼レンズカメラにおいて、撮影時の手ブレを防止する像ブレ補正装置を有するものが数多く提案されている。
【０００３】
その多くは交換レンズ内に像ブレ検出手段と像ブレ補正光学系の両方を有し、カメラ側の操作手段の操作により像ブレ補正動作の開始及び終了を制御している。
【０００４】
上記ブレ検出手段としては現状はジャイロセンサーが一般的に使用されているが、このセンサーはピッチ方向とヨー方向の検出の為少なくとも２個必要なうえ、構造上未だ高価である。一眼レフカメラのようなシステムカメラでは、この様な高コスト要素はカメラ本体側に配置する様にして、交換レンズのコストを下げるのが望ましい。
【０００５】
なぜなら交換レンズは数本持って交換して使用するものであるから、交換レンズのコストを下げることはトータルシステムとしてのコストダウン上メリットが大きいからである。
【０００６】
この観点からカメラ本体内に像ブレ検出手段を有し、交換レンズ内に像ブレ補正光学系を有する像ブレ防止一眼レフカメラシステムが特開平６−２５０２７２等に提案されている。
【０００７】
【発明が解決しようとする課題】
上記のような像ブレ防止一眼レフカメラシステムにおいては、像ブレ防止機能のオン／オフ切替えスイッチは、交換レンズ側とカメラ本体側のいずれに設置することもできる。但し、交換レンズ側のコスト削減の観点からはカメラ本体側に設置するのが妥当である。ところでこの像ブレ検出手段を有するカメラ本体には、像ブレ検出手段と像ブレ補正手段の両者を有する従来の防振機能付き交換レンズ（以下、ＩＳ交換レンズという）を装着することは可能である。
【０００８】
この従来のＩＳ交換レンズは装着するカメラ本体として、なんら像ブレ防止機能と関係のない従来のカメラ本体を想定して設計されているので、像ブレ防止機能のオン／オフ切替えスイッチは当然ＩＳ交換レンズ側に設置されている。
【０００９】
よってこの従来のＩＳ交換レンズをカメラ本体内に像ブレ検出手段を有するカメラ本体に装着すると、像ブレ防止機能のオン／オフ切替えスイッチはカメラ本体とＩＳ交換レンズの両方に設置されることになる。
【００１０】
よって使用者はいずれのオン／オフ切替えスイッチを操作すれば像ブレ防止機能が動作するのか迷うことになる。
【００１１】
例えばいずれか一方のオン／オフ切替えスイッチがオンすれば像ブレ防止機能が動作するように設計した場合を考える。
【００１２】
この場合、カメラ本体側のオン／オフ切替えスイッチがオンしていれば、ＩＳ交換レンズ側のオン／オフ切替えスイッチがオフしていても像ブレ防止機能は動作することになる。
【００１３】
従来のＩＳ交換レンズを使いなれている人にとっては、ＩＳ交換レンズ側のオン／オフ切替えスイッチをオンにすれば像ブレ防止機能が動作するとの意識が強いので、上記の状態のようにＩＳ交換レンズ側のオン／オフ切替えスイッチがオフしていても像ブレ防止機能が動作することには違和感を持つ可能性が高い。
【００１４】
又同様に、いずれか一方のオン／オフ切替えスイッチがオンすれば像ブレ防止機能が動作するように設計すると、カメラ本体側のオン／オフ切替えスイッチがオフしていても、ＩＳ交換レンズ側のオン／オフ切替えスイッチがオンしていれば像ブレ防止機能は動作することになる。この場合はカメラ本体に像ブレ検出手段を持つＩＳ一眼レフカメラシステムを使いなれている人にとっては、カメラ本体側のオン／オフ切替えスイッチをオンにすれば像ブレ防止機能が動作するとの意識が強いので、上記の状態のようにカメラ本体側のオン／オフ切替えスイッチがオフしていても像ブレ防止機能が動作することには違和感を持つ可能性が高い。
【００１５】
今度は逆に、両方のオン／オフ切替えスイッチが共にオンした時のみ像ブレ防止機能が動作するように設計した場合を考える。
【００１６】
この場合、カメラ本体側のオン／オフ切替えスイッチがオフしていると、ＩＳ交換レンズ側のオン／オフ切替えスイッチがオンしていても像ブレ防止機能が動作しないことになる。
【００１７】
従来のＩＳ交換レンズを使いなれている人にとっては、ＩＳ交換レンズ側のオン／オフ切替えスイッチをオンにすれば像ブレ防止機能が動作するとの意識が強いので、上記の状態のようにＩＳ交換レンズ側のオン／オフ切替えスイッチがオンしていても像ブレ防止機能が動作しないことには違和感を持つ可能性が高い。
【００１８】
又同様に、両方のオン／オフ切替えスイッチがオンすれば像ブレ防止機能が動作するように設計すると、ＩＳ交換レンズ側のオン／オフ切替えスイッチがオフしていると、カメラ本体側のオン／オフ切替えスイッチがオンしていても像ブレ防止機能は動作しないことになる。この場合はカメラ本体にブレ検出手段を持つＩＳ一眼レフカメラシステムを使いなれている人にとっては、カメラ本体側のオン／オフ切替えスイッチをオンにすれば像ブレ防止機能が動作するとの意識が強いので、上記の状態のようにカメラ本体側のオン／オフ切替えスイッチがオンしていても像ブレ防止機能が動作しないことには違和感を持つ可能性が高い。
【００１９】
【課題を解決するための手段】
本発明は上記課題を解決するためのもので、その特徴とするところはブレ検出手段を有するカメラ本体にＩＳ交換レンズを装着してカメラ本体とＩＳ交換レンズの両方にブレ防止機能のオン／オフ切替えスイッチがある場合、カメラ本体とＩＳ交換レンズの両方の像ブレ防止機能のオン／オフ切替えスイッチがオンした時のみ像ブレ防止機能を動作させるようにしたものである。
【００２０】
よって本発明によればカメラ本体と交換レンズの両方に像ブレ防止機能オン／オフ切替えスイッチがある場合に、いずれか一方の切替えスイッチがオフの状態でも像ブレ防止機能が動作してしまうことの違和感を防止できるものである。
【００２１】
更に本発明は上記課題を解決するためのもので、その特徴とするところはブレ検出手段を有するカメラ本体にＩＳ交換レンズを装着してカメラ本体と交換レンズの両方にブレ防止機能のオン／オフ切替えスイッチがある場合、少なくとも交換レンズの像ブレ防止機能のオン／オフ切替えスイッチがオンしていれば像ブレ防止機能を動作させるようにしたものである。
【００２２】
更に、本発明は上記課題を解決するためのもので、その特徴とするところはブレ検出手段を有するカメラ本体にＩＳ交換レンズを装着してカメラ本体と交換レンズの両方にブレ防止機能のオン／オフ切替えスイッチがある場合、少なくともカメラ本体の像ブレ防止機能のオン／オフ切替えスイッチがオンしていれば像ブレ防止機能を動作させるようにしたものである。
【００２３】
【発明の実施の形態】
以下、本発明の実施の形態を図面を用いて説明する。
【００２４】
（第１の実施形態）
図１は本発明の実施例の交換レンズおよびカメラ本体を説明するための電気回路図（ブロック図）である。
【００２５】
図１において、１０はカメラ本体内に収納される電源電池、１１が電源平滑用のコンデンサー、１２は電流逆流防止用のダイオードである。１３はカメラ本体内に設置されたマイコン、１４はジャイロセンサー等の像ブレ検出手段である。１５は該ブレ検出手段の検出出力をＡ／Ｄ変換するＡ／Ｄ変換器で、そのＡ／Ｄ変換値はカメラ側のマイコン１３のパラレル入力ポートに入力する。１６は像ブレ防止機能のオン／オフ切替えスイッチで、マイコン１３の入力ポートに接続している。１７はカメラのレリーズ釦の第１ストロークでオンするＳＷ１スイッチで同じくマイコン１３の入力ポートに接続している。
【００２６】
ａからｆはカメラ本体に設けられたマウント端子で、ａは電源電池１０のプラス端子（Ｖｂａｔ）と接続しており、ｂはマイコン１３の電源Ｖｄｄと接続している。ｃはレンズマイコン（後述）からカメラマイコン１３へのデータＤＬＣを受け付けるマウント端子で、カメラマイコン１３の入力ポートと接続する。ｄはカメラマイコン１３からレンズマイコンへのデータＤＣＬを送るマウント端子で、カメラマイコン１３の出力ポートと接続している。ｅはカメラマイコン１３からレンズマイコンへ送られる転送クロックＬＣＬＫを送るマウント端子で、カメラマイコン１３のクロック出力端子と接続している。
【００２７】
２０は交換レンズ内に設けられたレンズマイコン、２２はジャイロセンサー等のブレ検出手段である。２３は該ブレ検出手段の検出出力をＡ／Ｄ変換するＡ／Ｄ変換器で、そのＡ／Ｄ変換値はレンズマイコン２０のパラレル入力ポートに入力する。
【００２８】
２１は像ブレ防止機能のオン／オフ切替えスイッチで、レンズマイコン２０の入力ポートに接続している。２４は補正光学系の駆動回路、２５及び２６は各々補正光学系のヨー及びピッチ方向の駆動コイルである。２７は交換レンズ内の補正光学系である。
【００２９】
ａ′からｆ′は交換レンズ側に設けられたマウント端子で、交換レンズをカメラ本体に装着すると交換レンズ側のマウント端子ａ′〜ｆ′はカメラ側のマウント端子ａ〜ｆと接続する。
【００３０】
マウント端子ａ′は前記補正光学系の駆動回路２４の電源端子と接続している。マウント端子ｂ′はレンズマイコン２０の電源端子と接続している。マウント端子ｃ′はレンズマイコン２０からカメラマイコン１３へ送られるデータＤＬＣの送り端子で、レンズマイコン２０の出力ポートと接続している。ｄ′はカメラマイコン１３からレンズマイコン２０へ送られるデータＤＣＬの受付端子で、レンズマイコン２０の入力ポートと接続している。ｅ′はカメラマイコンからレンズマイコンへ送られるクロック信号ＬＣＫＬの受付端子で、レンズマイコン２０のクロック入力端子と接続している。
【００３１】
補正光学系の駆動回路２４はレンズマイコン２０により制御されており、レンズマイコン２０により演算された補正光学系のヨー方向及びピッチ方向の駆動方向及び駆動量に応じて、ヨー方向及びピッチ方向の駆動コイル２５及び２６の通電電流の通電方向及びＰＷＭ量を制御するものである。
【００３２】
以上のように構成された実施例の第１例の動作を図２のフローチャートに基づき以下に説明する。
【００３３】
（ステップＳ００、Ｓ０１）
交換レンズをカメラ本体に装着した状態で、カメラ本体のレリーズ釦の第１ストロークを押してＳＷ１スイッチ１７がオンするとカメラマイコン１３はカメラ本体側の像ブレ防止機能のオン／オフ切替えスイッチ１６がオンかオフかを見に行く。
【００３４】
（ステップＳ０２）
もしスイッチ１６がオンならばカメラマイコン１３は自身のＲＡＭ内の１６ＯＮ信号を「１」にセットし、スイッチ１６がオフならば１６ＯＮ信号を「０」にセットする。
【００３５】
（ステップＳ０３）
次にカメラマイコン１３はこの１６ＯＮ信号をＤＣＬラインを介して、カメラマイコン１３からレンズマイコン２０へ転送する。この１６ＯＮ信号はレンズマイコン２０のＲＡＭ内に保持される。
【００３６】
（ステップＳ１０、Ｓ１１）
レンズマイコン２０は交換レンズ側の像ブレ防止機能のオン／オフ切替えスイッチ２１のオン／オフ状態を検出に行く。スイッチ２１がオンしていればレンズマイコン２０はＲＡＭ内の２１ＯＮ信号を「１」にセットし、スイッチ２１がオフしていれば２１ＯＮ信号を「０」にセットする。
【００３７】
（ステップＳ１２）
次にレンズマイコン２０は１６ＯＮ信号が「１」にセットされているか否かの判断を行うが、ステップＳ０２でこの１６ＯＮ信号は「１」にセットされていれば、ステップＳ１３に移行して補正光学系の駆動コイル２５と２６の通電制御動作を開始する。
【００３８】
ステップＳ０２で１６ＯＮ信号が「０」にセットされた時と、ステップＳ１１で２１ＯＮ信号が「０」にセットされた時はステップＳ１３はパスするので、像ブレ防止機能は動作しない。
【００３９】
以上説明したように本実施例ではカメラ側と交換レンズ側の両者の像ブレ防止機能のオン／オフ切替えスイッチがオンした時のみ像ブレ防止機能が動作する。
【００４０】
よって本実施例によればカメラ本体と交換レンズのいずれか一方の切替えスイッチがオフの時には、像ブレ防止機能が動作することがないので、使用者に違和感の少ない使用感を与えるものである。
【００４１】
上記像ブレ動作防止機能の動作が開始すると、カメラマイコン１３はジャイロセンサー１４の出力電圧（角速度信号に対応する）のＡ／Ｄ変換器１５でのＡ／Ｄ変換データをデジタルフィルター処理や積分演算処理を行い、角変位信号に対応するデジタル信号を形成する。このデジタル信号はカメラマイコン１３から通信ラインＤＣＬを介してレンズマイコン２０へ、例えば１ＫＨＺ位のサンプリングレートで転送される。
【００４２】
レンズマイコン２０は転送されてきたデジタル信号と自身のＲＯＭ内に格納されている防振敏感度データとを演算し、補正光学系２７の補正駆動されるべき駆動量を算出する。
【００４３】
２８は補正光学系のピッチ及びヨー方向の位置検出手段で、例えばホール素子やＩＲＥＤとＰＳＤの組み合わせが用いられる。２９は前記位置検出手段の検出出力をＡ／Ｄ変換するＡ／Ｄ変換器で、その出力はレンズマイコン２０のパラレル入力ポートに入力する。
【００４４】
レンズマイコン２０はＡ／Ｄ変換器２９から入力した補正光学系の位置信号と、上記した補正光学系２７の補正駆動されるべき駆動量の演算値とを比較し、その差分に対応したＰＷＭ値で各々ピッチ方向及びヨー方向の駆動コイル２５および２６を駆動し補正光学系を所定の位置まで駆動しブレ防止動作を行う。
【００４５】
以上の実施例ではカメラ本体内のジャイロセンサー１４の出力を用いて像ブレ防止動作を行っているが、交換レンズ側のジャイロセンサー２２の出力を用いて像ブレ防止動作を行うことも勿論可能である。この交換レンズ側のジャイロセンサー２２を用いる場合は、カメラ本体側のジャイロセンサー１４への電力供給を停止して省電力効果を狙うことも可能である。
【００４６】
次に図３のフローチャートに基づき、駆動コイルの通電開始以降にカメラ本体側又は交換レンズ側の像ブレ防止機能のオン／オフ切替えスイッチがオフされた時の動作を説明する。
【００４７】
（ステップＳ２０）
カメラマイコンはカメラ本体側の切替えスイッチ１６がオフしたか否かを検出にいく。
【００４８】
（ステップＳ２１）
もし切替えスイッチがオフしていた場合、カメラマイコンは自身のＲＡＭ内の１６ＯＮ信号を「０」にセットする。
【００４９】
（ステップＳ２２）
ここでカメラマイコン１３はこの１６ＯＮ信号を通信ラインＤＣＬを介してレンズマイコン２０へ転送し、レンズマイコンはその信号を自身のＲＡＭ内に記憶する。
【００５０】
（ステップＳ３０）
レンズマイコン２０は交換レンズ側の像ブレ防止機能のオン／オフ切替えスイッチ２１がオフしたか否かを検出に行く。
【００５１】
（ステップＳ３１、Ｓ３２）
上記切替えスイッチ２１がオフしていれば、レンズマイコン２０は自身のＲＡＭ内の２１ＯＮ信号を「０」にセットする。又この切替えスイッチ２１がオフしていない時は、自身のＲＡＭ内の１６ＯＮ信号が「０」にセットされているか否かを判断する。
【００５２】
（ステップＳ３３）
ステップＳ３１で２１ＯＮ信号が「０」にセットされた場合と、ステップＳ３２で１６ＯＮ信号が「０」と判断された時はステップＳ３３へ移行し、各々ピッチ方向とヨー方向の駆動コイル２５及び２６への通電を停止する。これにより像ブレ防止機能動作そのものが停止する。
【００５３】
以上説明したように、本実施例ではカメラ本体側又は交換レンズ側の像ブレ防止機能のオン／オフ切替えスイッチのいずれかがオフすると、像ブレ防止機能の動作を停止するので違和感のない操作性を提供することが出来るものである。
【００５４】
以上の実施例ではカメラ本体と交換レンズの両方の像ブレ防止機能の切替えスイッチがオンしたことを最終的にレンズマイコン側で判断しているが、これに限らず交換レンズ側の切替えスイッチのオン／オフ信号をカメラ本体側に転送して、カメラマイコンで判断するようにも出来る。
【００５５】
又、以上のようなソフト処理で行わずに、ハード回路で行うことも可能である。
【００５６】
（第２の実施形態）
次に第１図に示した回路図（ブロック図）の第２の動作を図４以降のフローチャートに基づき以下説明する。
【００５７】
（ステップＳ４０）
交換レンズをカメラ本体に装着した状態で、カメラ本体のレリーズ釦の第１ストロークを押してＳＷ１スイッチ１７がオンするとカメラマイコン１３はこのＳＷ１スイッチがオンしたことのコマンドを通信ラインＤＣＬを介してレンズマイコン２０へ転送する。
【００５８】
（ステップＳ５０）
レンズマイコン２０はこのコマンドを受け取ると、レンズ側の像ブレ防止機能のオン／オフ切替えスイッチ２１の状態を検出する。
【００５９】
（ステップＳ５１）
この時、切替スイッチ２１がオンしていると、ピッチ方向及びヨー方向の駆動コイル２５と２６への通電を開始し像ズレ防止機能の動作を開始する。
【００６０】
（ステップＳ５２、Ｓ５３）
レンズマイコン２０は像ブレ防止機能のオン／オフ切換えスイッチ２１の状態を検出し、もしオフしていればピッチ方向及びヨー方向の駆動コイル２５と２６への通電を停止する。
【００６１】
上記の動作では、少なくとも交換レンズ側の像ブレ防止機能のオン／オフ切換えスイッチがオンすると像ブレ防止機能の動作が開始し、この切換えスイッチがオフすると像ブレ防止機能の動作が停止する。
【００６２】
（第３の実施形態）
次に第１図に示した回路図（ブロック図）の第３の動作を図５に示したフローチャートに基づき説明する。
【００６３】
（ステップＳ６０）
カメラマイコン１３はＳＷ１スイッチ１７の状態を検出している。
【００６４】
（ステップＳ６１）
ＳＷ１スイッチがオンしていると、カメラマイコン１３はカメラ側の像ブレ防止機能のオン／オフ切換えスイッチ１６の状態を検出に行く。
【００６５】
（ステップＳ６２）
切換えスイッチ１６がオンしていると、カメラマイコン１３は自身のＲＡＭ内の１６ＯＮ信号を「１」にセットする。逆に切換えスイッチ１６がオフしていると、カメラマイコンは１６ＯＮ信号を「０」にセットする。
【００６６】
（ステップＳ６３）
カメラマイコン１３はこのステップで１６ＯＮ信号を通信ラインＤＣＬを介して、レンズマイコン２０へ転送する。
【００６７】
（ステップＳ７０）
レンズマイコン２０は前記１６ＯＮ信号のレベルの判断を行う。もしも１６ＯＮ信号が「１」にセットされていればステップ７１に移行する。
【００６８】
（ステップＳ７１）
ここではレンズマイコン２０はピッチ方向とヨー方向の駆動コイル２５と２６への通電を開始し、像ブレ補正機能の動作を開始する。
【００６９】
ステップＳ７０で１６ＯＮ信号が「０」にセットされていると、ステップ７１はスキップするので像ブレ防止機能の動作は開始しない。
【００７０】
上記の動作では、少なくともカメラ本体側の像ブレ防止機能のオン／オフ切換えスイッチがオンしていれば像ブレ防止機能が動作するものである。
【００７１】
次に上記動作後にカメラ本体側の像ブレ防止機能のオン／オフ切換えスイッチがオフした時の動作を、図６のフローチャートに基づき説明する。
【００７２】
（ステップＳ８０）
カメラ側のマイコン１３はカメラ側の像ブレ防止機能のオン／オフ切換えスイッチ１６の状態を検知し、
（ステップＳ８１）
このスイッチがオフしていればステップＳ８１に移行して、自身のＲＡＭ内の１６ＯＮ信号を「０」にセットする。
【００７３】
（ステップＳ８２）
更にこのステップに移行して、この１６ＯＮ信号をカメラマイコン１３からレンズマイコン２０に転送する。レンズマイコン２０はこの信号を自身のＲＡＭ内に記憶する。
【００７４】
（ステップＳ９０）
レンズ側のマイコン２０は自身のＲＡＭ内の１６ＯＮ信号のレベルを判断し、もしこの信号が「０」レベルであれば、
（ステップＳ９１）
ステップ９１に移行して駆動コイル２５と２６への通電を停止し、像ブレ防止機能の動作を停止させるものである。
【００７５】
以上の実施例では、カメラ本体側と交換レンズ側のいずれかの像ブレ防止機能のオン／オフ切換えスイッチがオンすれば像ブレ防止機能の動作を行うようにしているので、両方の切換えスイッチがオンしなければ像ブレ防止機能が動作しないような不自然さを回避できるもので、操作感の向上に大きく貢献するものである。
【００７６】
また、上記の実施例では、カメラ本体側又は交換レンズ側の像ブレ防止機能のオン／オフ切替えスイッチのいずれかがオフすると、像ブレ防止機能の動作を停止するので違和感のない操作性を提供することが出来るものである。
【００７７】
【発明の効果】
以上、説明したように、本発明によればカメラ本体側と交換レンズ側の両方の像ブレ防止機能のオン／オフ切替えスイッチがオンしている時のみ像ブレ防止機能の動作を行うようにしているので、いずれか一方の切替えスイッチがオフしていても像ブレ防止機能が動作してしまうような不自然さを回避できるもので、操作感の向上に大きく貢献するものである。
【００７８】
また、本発明では、カメラ本体側と交換レンズ側のいずれかの像ブレ防止機能のオン／オフ切換えスイッチがオンすれば像ブレ防止機能の動作を行うようにしているので、両方の切換えスイッチがオンしなければ像ブレ防止機能が動作しないような不自然さを回避できるもので、操作感の向上に大きく貢献するものである。
【図面の簡単な説明】
【図１】本発明の第１の実施例を示す電気回路図
【図２】本発明の第１の実施例を示すフローチャート
【図３】本発明の第１の実施例を示すフローチャート
【図４】本発明の第２の実施例を示すフローチャート
【図５】本発明の第３の実施例を示すフローチャート
【図６】本発明の第３の実施例を示すフローチャート
【符号の説明】
１０  電源電池
１３  カメラマイコン
２０  レンズマイコン
１４、２２  ジャイロセンサー
２７  補正光学系
１５、２３、２９  Ａ／Ｄ変換器
２５、２６  駆動コイル
【図１】
2004309834.tif 000003
【図２】
2004309834.tif 000004
【図３】
2004309834.tif 000005
【図４】
2004309834.tif 000006
【図５】
2004309834.tif 000007
【図６】
2004309834.tif 000008